(57)【特許請求の範囲】
【請求項１】
電子機器において、
画像を表示する表示画面と、
指の接触および接触した指の動きを検出するグライドポイントと、
指の指紋を検出する指紋センサと、
前記グライドポイントによる検出情報と前記指紋センサによる検出情報との組合せにより、前記表示画面上の画像のスクロールを制御するスクロール制御部とを備え、
前記スクロール制御部は、
前記指紋センサ上での前記所定速さを越える速さの指の動きにより、前記指紋センサ上での指の移動量に応じた量だけ前記表示画面上で画像をスクロールする第１のスクロールモードから前記表示画面上で画像をスクロールし続ける第２のスクロールモードへの切替えを行うとともに、前記グライドポイントへの指の接触により、前記第２のスクロールモードによる前記表示画面上の画像のスクロールの停止と、前記第１のスクロールモードへの切替えとを行い、
前記第１のスクロールモードにあるときの、前記指紋センサ上での所定速さ以下の速さの指の動きにより、該第１のスクロールモードによる、前記表示画面上の画像のスクロールを実行し、
前記指紋センサ上での、前記第１のスクロールモードから前記第２のスクロールモードへの切替えの指の動き自体、あるいは、該第２のスクロールモードへの切替後の前記指紋センサ上での指の動きにより、該第２のスクロールモードによる、前記表示画面上の画像のスクロールを実行するものであることを特徴とする電子機器。
【請求項２】
前記スクロール制御部は、さらに、前記グライドポイントへの指の接触および該グライドポイント上での指の動きに応じて、前記表示画面上における画像のスクロール方向を切り替えるとともに、前記指紋センサ上の指の動きに応じて前記表示画面上の画像のスクロールを実行するものであることを特徴とする請求項１記載の電子機器。
【請求項３】
前記グライドポイントおよび前記指紋センサが、互いに隣接した位置に配置されたものであることを特徴とする請求項１記載の電子機器。
【請求項４】
画像を表示する表示画面と、指の接触および接触した指の動きを検出するグライドポイントと、指の指紋を検出する指紋センサとを備えた電子機器に適用されるスクロール制御装置において、
前記グライドポイントによる検出情報と前記指紋センサによる検出情報との組合せにより、前記表示画面上の画像のスクロールを制御するスクロール制御部を備え、
前記スクロール制御部は、
前記指紋センサ上での前記所定速さを越える速さの指の動きにより、前記指紋センサ上での指の移動量に応じた量だけ前記表示画面上で画像をスクロールする第１のスクロールモードから前記表示画面上で画像をスクロールし続ける第２のスクロールモードへの切替えを行うとともに、前記グライドポイントへの指の接触により、前記第２のスクロールモードによる前記表示画面上の画像のスクロールの停止と、前記第１のスクロールモードへの切替えとを行い、
前記第１のスクロールモードにあるときの、前記指紋センサ上での所定速さ以下の速さの指の動きにより、該第１のスクロールモードによる、前記表示画面上の画像のスクロールを実行し、
前記指紋センサ上での、前記第１のスクロールモードから前記第２のスクロールモードへの切替えの指の動き自体、あるいは、該第２のスクロールモードへの切替後の前記指紋センサ上での指の動きにより、該第２のスクロールモードによる、前記表示画面上の画像のスクロールを実行するものであることを特徴とするスクロール制御装置。
【請求項５】
画像を表示する表示画面と、指の接触および接触した指の動きを検出するグライドポイントと、指の指紋を検出する指紋センサとを備えた電子機器で実行されるプログラムにおいて、該プログラムは該電子機器を、
前記グライドポイントによる検出情報と前記指紋センサによる検出情報との組合せにより、前記表示画面上の画像のスクロールを制御するスクロール制御部として機能させるプログラムであって、
前記スクロール制御部は、
前記指紋センサ上での前記所定速さを越える速さの指の動きにより、前記指紋センサ上での指の移動量に応じた量だけ前記表示画面上で画像をスクロールする第１のスクロールモードから前記表示画面上で画像をスクロールし続ける第２のスクロールモードへの切替えを行うとともに、前記グライドポイントへの指の接触により、前記第２のスクロールモードによる前記表示画面上の画像のスクロールの停止と、前記第１のスクロールモードへの切替えとを行い、
前記第１のスクロールモードにあるときの、前記指紋センサ上での所定速さ以下の速さの指の動きにより、該第１のスクロールモードによる、前記表示画面上の画像のスクロールを実行し、
前記指紋センサ上での、前記第１のスクロールモードから前記第２のスクロールモードへの切替えの指の動き自体、あるいは、該第２のスクロールモードへの切替後の前記指紋センサ上での指の動きにより、該第２のスクロールモードによる、前記表示画面上の画像のスクロールを実行するものであることを特徴とするプログラム。
【発明の詳細な説明】
【技術分野】
【０００１】
本発明は、例えばパーソナルコンピュータに代表される電子機器に関する。
【背景技術】
【０００２】
近年、パーソナルコンピュータ（以下では、パソコンあるいはＰＣと略記する）が、オフィスのみでなく家庭内にも広く普及してきている。このパソコンの一形態として、上面にキーボードや指の接触および接触した指の動きを検出するグライドポイントを備えた本体ユニットとその本体ユニットに対し開閉自在であって表示画面を備えた表示ユニットとを有し、使用時には本体ユニットに対し表示ユニットを立てた位置に開き、不使用時には表示画面がキーボード上に重なるよう折り畳んでおく、いわゆるノート型パーソナルコンピュータ（以下、ノートＰＣと略記する）が広く知られている。
【０００３】
また、近年では、パソコン等の電子機器について、益々のセキュリティ化が求められており、例えば、上述したノートＰＣに指の指紋を検出する指紋センサを備え、この指紋センサにより指先の指紋パターンを読み取り、読み取った指紋パターンと予め登録されている指紋パターンとが一致したと判定された場合に、そのノートＰＣへのアクセスを許可するということが行なわれている。このようにすることにより、セキュリティ化にあたり、キーボードでパスワードを入力する技術と比較し、煩わしいパスワード認証を簡単に行なうことができる。ここで、指紋を識別してＰＣへのアクセスの許否を行なう技術がいくつか提案されている。
【０００４】
例えば、マトリックス状に配置された容量検知用セルからなるタッチパッドで指先の指紋パターンを採取し、採取した指紋パターンと予め登録されている指紋パターンとが一致したと判定された場合に、ＰＣへの操作を許可し、さらにタッチパッドに指先をタッチすることでＰＣの表示画面上のカーソルもしくはポインタを制御する技術が提案されている（特許文献１参照）。
【０００５】
また、指の座標位置を検知する位置センサと、指紋センサとを備え、位置センサで検知された指の座標位置情報を画面上のカーソル制御用に用いるとともに、指紋センサで検知された情報をＰＣへの操作の許否に用いる技術が提案されている（特許文献２参照）。
【０００６】
さらに、静電容量型のセンサアレーで指先の指紋パターンと指の動きとの双方を検出し、本人の認証とポインティングデバイスの役割との双方の機能を実現することができる技術が提案されている（特許文献３参照）。
【０００７】
また、指先の指紋パターンをスキャンするとともに、指の回転量および移動量を簡単な回路構成で検出する技術が提案されている（特許文献４参照）。
【特許文献１】特開平１１−３５３１０７号公報
【特許文献２】特開２００２−３５２２３４号公報
【特許文献３】特開２００３−２９８６８９号公報
【特許文献４】特開２００４−２７２４５８号公報
【発明の開示】
【発明が解決しようとする課題】
【０００８】
電子機器の一つであるノートＰＣの中には、グライドポイントと、左クリック釦および右クリック釦と、それらクリック釦の間に配備された上スクロール釦および下スクロール釦とを備えたものがある。このようなノートＰＣでは、それらクリック釦およびスクロール釦の組合せによる４種類のスクロール操作が可能である。
【０００９】
また、指紋センサを備えたノートＰＣの中には、その指紋センサが、ラインセンサを備え、そのラインセンサ上に指を置いてその指をラインセンサに直交することにより指の指紋を検出するライン型指紋センサであるものが知られている。このようなノートＰＣでは、その指紋センサに、指紋を検出する役割以外に、その指紋センサ上で指が下から上の方向（あるいは上から下の方向）に移動した旨の情報を利用する役割を担わせることにより、指紋認証を行なってそのノートＰＣへのアクセスの許否を行なうとともに、その指紋センサ上を指が下から上の方向（あるいは上から下の方向）に移動した旨の情報に基づいて表示画面上の画像のスクロールを行なうことができる。
【００１０】
しかし、上述した、クリック釦およびスクロール釦の組合せによる４種類のスクロール操作が可能なノートＰＣでは、それら４種類のスクロール操作にあたり、いずれかの釦を押下し続けた状態で他の釦を押下する等の操作が必要であるため、操作性が悪いという問題がある。
【００１１】
また、上述した、ライン型指紋センサを備えたノートＰＣでは、そのライン型指紋センサ上で、下から上の方向（以下、単に上の方向と記述する）に指を移動させることで表示画面上の画像をスクロールアップさせたり、上から下の方向（以下、単に下の方向と記述する）に指を移動させることで表示画面上の画像をスクロールダウンさせたりするという操作を行なうことができる。しかし、表示画面上の画像をスクロールアップ（あるいはスクロールダウン）させるにあたり、指の長さに対応した範囲内でのみ、表示画面上のスクロールバーを上の方向（あるいは下の方向）に一度に移動させることが可能であり、広範囲にわたりスクロールバーを上の方向（あるいは下の方向）に移動させるためには、ライン型指紋センサ上で、上の方向（あるいは下の方向）に指を移動させる操作を複数回繰り返す必要があり、従って操作性が悪いという問題がある。また、このようなライン型指紋センサでは、スクロールバーを左方向や右方向に移動させることはできないという問題もある。
【００１２】
本発明は、上記事情に鑑み、表示画面上の画像のスクロールを、簡単な操作で且つ様々な態様で実行することができる電子機器を提供することを目的とする。
【課題を解決するための手段】
【００１３】
上記目的を達成する本発明の電子機器は、
画像を表示する表示画面と、
指の接触および接触した指の動きを検出するグライドポイントと、
指の指紋を検出する指紋センサと、
上記グライドポイントによる検出情報と上記指紋センサによる検出情報との組合せにより、上記表示画面上の画像のスクロールを制御するスクロール制御部とを備えたことを特徴とする。
【００１４】
本発明の電子機器は、グライドポイントへの指の接触および接触した指の動きを検出するとともに指紋センサ上での指の動きを検出し、これらグライドポイントが示す検出情報と指紋センサが示す検出情報との組合せにより、表示画面上の画像のスクロールを制御するものである。このため、グライドポイント上での指の操作と指紋センサ上での指の操作とにより、表示画面上の画像のスクロールを様々な態様で実行することができる。従って、従来の、クリック釦およびスクロール釦のいずれかの釦を押下し続けた状態で他の釦を押下する操作が必要とされる技術や、指紋センサ上で上の方向（あるいは下の方向）に指を移動させる操作を複数回繰り返すことにより広範囲にスクロールバーを上の方向（あるいは下の方向）に移動する技術と比較し、表示画面上の画像のスクロールを、簡単な操作で且つ様々な態様で実行することができる。
【００１５】
ここで、上記スクロール制御部は、上記グライドポイントへの指の接触およびそのグライドポイント上での指の動きに応じてスクロールモードを切り替えるとともに、上記指紋センサ上の指の動きに応じて上記表示画面上の画像のスクロールを実行するものであることが好ましい。
【００１６】
このようにすると、所望のスクロール機能を簡単に選択することができる。
【００１７】
また、上記スクロール制御部は、
第１のスクロールモードにあるときの、上記指紋センサ上での所定速さ以下の速さの指の動きによりその第１のスクロールモードによる、上記表示画面上の画像のスクロールを実行し、上記指紋センサ上での上記所定速さを越える速さの指の動きにより第２のスクロールモードに切り替え、
上記第２のスクロールモードにあるときの上記指紋センサ上での指の動きによりその第２のスクロールモードを実行し、
上記グライドポイントへの指の接触により上記第１のスクロールモードに切り替えるものであることも好ましい態様である。
【００１８】
このようにすると、例えば、第１のスクロールモードで実行されている上の方向（あるいは下の方向）に画像を移動するスクロールアップ（あるいはスクロールダウン）動作から、第２のスクロールモードで実行されるスクロールアップし続ける（あるいはスクロールダウンし続ける）動作に切り替えて、広い範囲にわたり画像を高速にスクロールアップ（あるいはスクロールダウン）動作させることができる。
【００１９】
さらに、上記スクロール制御部は、
第１のスクロールモードにあるときの、上記指紋センサ上での所定速さ以下の速さの指の動きによりその第１のスクロールモードによる、上記表示画面上の画像のスクロールを実行し、上記指紋センサ上での上記所定速さを越える速さの指の動きにより第２のスクロールモードに切り替えるとともにその第２のスクロールモードによる、上記表示画面上の画像のスクロールを実行し、
上記グライドポイントへの指の接触により上記第１のスクロールモードに切り替えるものであることも好ましい。
【００２０】
このようにすると、第１のスクロールモードにあるときであっても、指紋センサ上での所定速さを越える速さの指の動きにより第２のスクロールモードに即座に切り替えることができる。従って、操作性を高めることができる。
【００２１】
また、上記グライドポイントおよび上記指紋センサが、互いに隣接した位置に配置されたものであることも好ましい。
【００２２】
このようにすると、グライドポイントから指紋センサへの指の移動範囲が小さくて済み、従って操作性を高めることができる。
【００２３】
さらに、上記指紋センサが、ラインセンサを備え、そのラインセンサ上に指を置いてその指をラインセンサに直交することにより指の指紋を検出するライン型指紋センサであることも好ましい。
【００２４】
このようなライン型指紋センサを備えると、電子機器の小型化を図ることができる。
【００２５】
また、上記電子機器でグライドポイントと指紋センサを使ってスクロール制御を行うスクロール制御装置や、該電子機器にその機能を実現させるプログラムによっても、上記目的を達成し得る。
【発明の効果】
【００２６】
本発明の電子機器によれば、表示画面上の画像のスクロールを、簡単な操作で且つ様々な態様で実行することができる。
【発明を実施するための最良の形態】
【００２７】
以下、本発明の実施形態について説明する。
【００２８】
図１は、本発明の電子機器の一実施形態であるノートＰＣの外観斜視図である。
【００２９】
このノートＰＣ１０は、本体ユニット２０と表示ユニット３０とからなる２つの筐体を備えており、表示ユニット３０は、画像を表示する表示画面３１を有し、ヒンジ部４０で、本体ユニット２０に対し開閉自在に支持されている。
【００３０】
本体ユニット２０は、上面にキーボード２１が備えられている。また、この本体ユニット２０は、上面に、指の接触および接触した指の動きを検出するグライドポイント２２、マウスの左釦，右釦の役割を担う左クリック釦２３，右クリック釦２４、および指の指紋を検出する指紋センサ２５が備えられている。指紋センサ２５は、左クリック釦２３と右クリック釦２４とに挟まれた位置に配置されている。
【００３１】
ここで、指紋センサ２５は、ラインセンサを備え、そのラインセンサ上に指を置いてその指をラインセンサに直交することにより指の指紋を検出するライン型指紋センサである。このため、指紋センサ２５の縦方向に対するサイズは小さく、従ってノートＰＣ１０の小型化が図られている。また、グライドポイント２２および指紋センサ２５は、互いに隣接した位置（上下の位置）に配置されている。このため、グライドポイント２２から指紋センサ２５への指の移動範囲が小さくて済み、従って操作性が高められている。
【００３２】
また、本体ユニット２０の筐体内部には、各種の処理を行なうＣＰＵ等の回路が搭載された主たる回路基板が内蔵されている。さらに、本体ユニット２０の右側面には、ＣＤあるいはＤＶＤが取出し自在に装填され装填されているＣＤあるいはＤＶＤを回転させて回転中のＣＤあるいはＤＶＤをアクセスするＣＤ／ＤＶＤドライブの端面２４１が外面に表われており、その端面２４１には、それを押すことによってそのＣＤ／ＤＶＤドライブのトレイが本体ユニットの外にスライドするイジェクトボタン２４２が備えられている。
【００３３】
また、本体ユニット２０の右側面にはさらに、一部がＣＤ／ＤＶＤドライブと上下に重なる位置に、各種の記憶メディア（スマートメディア（登録商標）、ｘＤカード（登録商標）など）が取出し自在に挿入され挿入されている記憶メディアをアクセスするメディアスロットの挿入口２５１が設けられている。
【００３４】
一方、表示ユニット３０は、上述した表示画面３１を有し、その表示画面３１を取り巻く前面カバーには、内部に配置されたマイクロホン（図示せず）に音声を導入するための穴３２が形成されている。
【００３５】
またヒンジ部４０は、表示ユニット３０を本体ユニット２０に開閉自在に支持させる構造を有している。
【００３６】
さらに、本体ユニット２０の、ヒンジ部４０よりも奥の部分には、スピーカ２６が備えられている。
【００３７】
図２は、図１に示すノートＰＣの概略回路ブロックを示す図である。
【００３８】
図２に示すノートＰＣ１０には、各種プログラムを実行するＣＰＵ４１、ハードディスク装置４３に格納されたプログラムが読み出されＣＰＵ４１での実行のために展開される主メモリ４２、各種プログラムや画像データ等が保存されたハードディスク装置４３、フレキシブルディスク４４＿１が装填され、その装填されたフレキシブルディスク４４＿１をアクセスするフレキシブルディスクドライブ４４、ＣＤ／ＤＶＤ４５＿１をアクセスするＣＤ／ＤＶＤドライブ４５、デジタルカメラ等に備えられたＵＳＢ通信装置と接続され、そのＵＳＢ通信装置からの画像データ等を取り込むＵＳＢ通信装置４６、前述した図１に示す表示画面３１，キーボード２１，左，右クリック釦２３，２４，グライドポイント２２，指紋センサ２５、および以下に説明するスクロール制御部４７が備えられている。これらはバス４８を介して相互に接続されている。
【００３９】
スクロール制御部４７は、グライドポイント２２上での指の検出と指紋センサ２５上の指の検出との組合せにより、表示画面３１上の画像のスクロールを制御する。
【００４０】
詳細には、このスクロール制御部４７は、グライドポイント２２への指の接触およびそのグライドポイント２２上での指の動きに応じてスクロールモードを切り替えるとともに、指紋センサ２５上の指の動きに応じて表示画面３１上の画像のスクロールを実行する。
【００４１】
さらに、スクロール制御部４７は、第１のスクロールモードにあるときの、指紋センサ２５上での所定速さ以下の速さの指の動きにより第１のスクロールモードによる、表示画面３１上の画像のスクロールを実行する。
【００４２】
また、このスクロール制御部４７は、指紋センサ２５上での上記所定速さを越える速さの指の動きにより第２のスクロールモードに切り替え、第２のスクロールモードにあるときの指紋センサ２５上での指の動きにより第２のスクロールモードを実行する。
【００４３】
さらに、このスクロール制御部４７は、グライドポイント２２への指の接触により第１のスクロールモードに切り替えることにより、いわゆるリセット動作を実行するものでもある。以下、図３および図４を参照して説明する。
【００４４】
図３は、本実施形態のノートＰＣの、グライドポイント上での指の動きと指紋センサ上での指の動きとを説明するための図、図４は、図３に示すグライドポイント上での指の検出と指紋センサ上の指の検出との組合せにより表示画面上の画像のスクロールを制御する様子を説明するための図である。
【００４５】
図３には、グライドポイント２２と、そのグライドポイント２２の下部に配置された左クリック釦２３および右クリック釦２４と、それら左クリック釦２３および右クリック釦２４に挟まれた位置に配置された指紋センサ２５とが示されている。
【００４６】
また、図４には、表示画面３１が示されている。この表示画面３１は、画像３１＿１と、縦方向のスクロールバー３１ａと、横方向のスクロールバー３１ｂとを有する。
【００４７】
本実施形態では、グライドポイント２２上の指の動きとしては、図３に示すように、グライドポイント２２への接触、矢印Ｘで示す横方向への動き、および矢印Ｙで示す縦方向への動きがある。
【００４８】
一方、指紋センサ２５上での指の動きとしては、矢印Ｕで示す指紋センサ２５上での下から上への方向（上の方向と記述する）あるいは矢印Ｄで示す上から下への方向（下の方向と記述する）への所定速さ以下の速さによる動きがある。また、指紋センサ２５上での上の方向（あるいは下の方向）への上記所定速さを越える速さによる動きもある。次に、本実施形態のノートＰＣ１０に備えられた表示画面３１上の画像３１＿１のスクロールを制御する様子について説明する。
【００４９】
図５，図６，図７は、本実施形態のノートＰＣの、表示画面上の画像のスクロールを制御するための制御ルーチンの前半部分のフローチャート，中間部分のフローチャート，後半部分のフローチャートである。
【００５０】
本実施形態のノートＰＣ１０では、最初の時点では通常の処理ルーチンが実行される。即ち、グライドポイント２２に指を触れることにより表示画面３０上に表示されているポインタを移動したり、指紋センサ２５で指の指紋パターンを読み取り、読み取った指紋パターンと予め登録されている指紋パターンとが一致した場合に、このノートＰＣ１０へのアクセスを許可する等の処理が行なわれる。また、左のクリック釦２３や右のクリック釦２４を操作することによりマウスの左釦，右釦の役割を担う処理も行なわれる。
【００５１】
ここで、左のクリック釦２３と右のクリック釦２４とを同時に押す。すると、この制御ルーチンが起動する。尚、再度、左のクリック釦２３と右のクリック釦２４とを同時に押すことにより通常の処理ルーチンに戻ることができる。
【００５２】
この処理ルーチンが起動されると、先ず、ステップＳ１において、指紋センサ上で指を上の方向に所定速さ以下の速さで動かした（ゆっくりと動かした）か否かが判定される。指を上の方向にゆっくりと動かしたと判定された場合はステップＳ２に進む。
【００５３】
ステップＳ２では、表示画面上の画像を上へスクロール（スクロールアップ）してステップＳ１に戻る。一方、指を上の方向にゆっくりと動かしていないと判定された場合はステップＳ３に進む。
【００５４】
ステップＳ３では、指紋センサ上で指を下の方向にゆっくりと動かしたか否かが判定される。指を下の方向にゆっくりと動かしたと判定された場合はステップＳ４に進む。
【００５５】
ステップＳ４では、表示画面上の画像を下へスクロール（スクロールダウン）してステップＳ１に戻る。一方、指を下の方向にゆっくりと動かしていないと判定された場合はステップＳ５に進む。
【００５６】
ステップＳ５では、指紋センサ上で指を上の方向もしくは下の方向に上記所定速さを越える速さで動かした（速く動かした）か否かが判定される。指を上の方向もしくは下の方向に速く動かしたと判定された場合は、後述する図６に示すステップＳ９に進む。一方、指を上の方向もしくは下の方向に速く動かしていないと判定された場合は、ステップＳ６に進む。
【００５７】
ステップＳ６では、グライドポイント上で指の接触が検出されたか否かが判定される。グライドポイント上で指の接触が検出されていないと判定された場合はステップＳ１に戻る。一方、グライドポイント上で指の接触が検出されたと判定された場合はステップＳ７に進む。
【００５８】
ステップＳ７では、グライドポイント上で指を離したか否かが判定される。指を離していないと判定された場合は、このステップＳ７を繰り返し実行する。一方、指を離したと判定された場合は、ステップＳ８に進む。
【００５９】
ステップＳ８では、グライドポイント上で指の動きが検出されたか否か（グライドポイント上において２つの異なる座標が検出されたか否か）が判定される。グライドポイント上で指の動きが検出されていないと判定された場合は、ステップＳ１に戻る。一方、グライドポイント上で指の動きが検出されたと判定された場合は、後述する図７に示すステップＳ１８に進む。
【００６０】
ここで、前述したステップＳ５において、指を上の方向もしくは下の方向に速く動かしたと判定されて図６に示すステップＳ９に進んだ場合は、そのステップＳ９において、指紋センサ上で指を上の方向に動かしたか否かが判定される。指を上の方向に動かしたと判定された場合はステップＳ１０に進む。
【００６１】
ステップＳ１０では、表示画面上の画像を上へスクロールし続ける（上へ連続スクロールする）動作を行なってステップＳ１１に進む。
【００６２】
ステップＳ１１では、グライドポイント上で指の接触が検出されたか否かが判定される。グライドポイント上で指の接触が検出されていないと判定された場合はステップＳ１０に戻る。一方、グライドポイント上で指の接触が検出されたと判定された場合は、後述するステップＳ１５に進む。
【００６３】
また、ステップＳ９において、指紋センサ上で指を上の方向に動かしていないと判定された場合は、ステップＳ１２に進む。ステップＳ１２では、指紋センサ上で指を下の方向に動かしたか否かが判定される。指を下の方向に動かしていないと判定された場合はステップＳ９に戻る。一方、指を下の方向に動かしたと判定された場合はステップＳ１３に進む。
【００６４】
ステップＳ１３では、表示画面上の画像を下へスクロールし続ける（下へ連続スクロールする）動作を行なってステップＳ１４に進む。
【００６５】
ステップＳ１４では、グライドポイント上で指の接触が検出されたか否かが判定される。グライドポイント上で指の接触が検出されていないと判定された場合はステップＳ１３に戻る。一方、グライドポイント上で指の接触が検出されたと判定された場合は、ステップＳ１５に進む。ステップＳ１５では、連続スクロールの停止を行なってステップＳ１６に進む。
【００６６】
ステップＳ１６では、グライドポイント上で指を離したか否かが判定される。指を離していないと判定された場合は、このステップＳ１６を繰り返し実行する。一方、指を離したと判定された場合は、ステップＳ１７に進む。
【００６７】
ステップＳ１７では、グライドポイント上で指の動きが検出されたか否かが判定される。グライドポイント上で指の動きが検出されていないと判定された場合はステップＳ１に戻る。一方、グライドポイント上で指の動きが検出されたと判定された場合は、図７に示すステップＳ１８に進む。
【００６８】
ステップＳ１８では、グライドポイント上で指が縦方向に動いたか否かが判定される。指が縦方向に動いたと判定された場合はステップＳ９に戻る。即ち、グライドポイント上で指が縦方向に動いたと判定された場合は、前述した連続スクロールの動作を行なう処理ルーチンに移行する。
【００６９】
一方、ステップＳ１８において、グライドポイント上で指が縦方向に動いていないと判定された場合、即ちグライドポイント上で指が横方向に動いたと判定された場合は、ステップＳ１９に進む。
【００７０】
ステップＳ１９では、指紋センサ上で指を上の方向に動かしたか否かが判定される。指を上の方向に動かしたと判定された場合はステップＳ２０に進み、表示画面上の画像を右へスクロールしてステップＳ１９に戻る。一方、指を上の方向に動かしていないと判定された場合はステップＳ２１に進む。
【００７１】
ステップＳ２１では、指紋センサ上で指を下の方向に動かしたか否かが判定される。指を下の方向に動かしたと判定された場合はステップＳ２２に進む。ステップＳ２２では、表示画面上の画像を左へスクロールしてステップＳ１９に戻る。一方、指を下の方向に動かしていないと判定された場合はステップＳ２３に進む。
【００７２】
ステップＳ２３では、グライドポイント上で指の接触が検出されたか否かが判定される。グライドポイント上で指の接触が検出されていないと判定された場合はステップＳ１９に戻る。一方、グライドポイント上で指の接触が検出されたと判定された場合はステップＳ２４に進む。
【００７３】
ステップＳ２４では、グライドポイント上で指を離したか否かが判定される。指を離していないと判定された場合は、このステップＳ２４を繰り返し実行する。一方、指を離したと判定された場合は、ステップＳ２５に進む。
【００７４】
ステップＳ２５では、グライドポイント上で指の動きが検出されたか否かが判定される。グライドポイント上で指の動きが検出されていないと判定された場合はステップＳ１に戻る。一方、グライドポイント上で指の動きが検出されたと判定された場合は、ステップＳ１８に戻る。
【００７５】
図８は、比較例としてのノートＰＣの、指紋センサ上で下の方向に指を移動させる様子を示す図、図９は、図８に示す指紋センサ上で下の方向に指を移動させることで表示画面上の画像のスクロールを制御する様子を説明するための図である。
【００７６】
図８には、グライドポイント２２０と、そのグライドポイント２２０の下部に配置された左クリック釦２３０および右クリック釦２４０と、それら左クリック釦２３０および右クリック釦２４０に挟まれた位置に配置された指紋センサ２５０とが示されている。
【００７７】
また、図９には、表示画面３１０が示されている。この表示画面３１０は、画像３１０＿１と、縦方向のスクロールバー３１０ａと、横方向のスクロールバー３１０ｂとを有する。
【００７８】
比較例としてのノートＰＣにおいて、スクロール釦として指紋センサ２５０を利用した場合、この指紋センサ２５０上で、図８の矢印Ａで示すように、下への方向に指を移動させることで、図９に示すスクロールバー３１０ａを矢印Ａで示す範囲内で下の方向に移動させて表示画面３１０上の画像３１０＿１をスクロールダウンさせるという操作が行なわれる。また、これとは逆に、指紋センサ２５０上で、図８の矢印Ａとは逆の方向である上の方向に指を移動させることで、スクロールバー３１０ａを上の方向に移動させて表示画面３１０上の画像３１０＿１をスクロールアップさせるという操作も行なわれる。
【００７９】
しかし、表示画面３１０上の画像３１０＿１をスクロールダウン（あるいはスクロールアップ）させるにあたり、指の長さ（図８の矢印Ａ，Ｂの長さで示す範囲内）に対応した範囲内（図９の矢印Ａ，Ｂの長さで示す範囲内）でのみ、表示画面３１０上のスクロールバー３１０ａを下方向（あるいは上方向）に一度に移動させることが可能であり、図９の矢印Ｃの長さで示す広範囲にわたりスクロールバーを下方向（あるいは上方向）に移動させるためには、指紋センサ２５０上で、下の方向（あるいは上の方向）に指を移動させる操作を複数回繰り返す必要があり、従って操作性が悪いという問題がある。また、図９に示す横方向のスクロールバー３１０ｂを左方向や右方向に移動させることはできないという問題もある。
【００８０】
本実施形態のノートＰＣ１０は、グライドポイント２２への指の接触および接触した指の横方向，縦方向への動きを検出するとともに指紋センサ２５上での指の上方向，下方向への動きを検出し、これらグライドポイント２２上での指の検出と指紋センサ２５上の指の検出との組合せにより、表示画面３１上の画像３１＿１のスクロールを制御するものである。このため、図５，図６，図７に示すフローチャートを参照して説明したように、グライドポイント２２上での指の操作と指紋センサ２５上での指の操作とにより、表示画面３１上の画像３１＿１のスクロールを様々な態様で実行することができる。従って、従来の、クリック釦およびスクロール釦のいずれかの釦を押下し続けた状態で他の釦を押下する操作が必要とされる技術や、指紋センサ上で上の方向（あるいは下の方向）に指を移動させる操作を複数回繰り返すことにより広範囲にスクロールバーを上の方向（あるいは下の方向）に移動する技術と比較し、表示画面３１上の画像３１＿１のスクロールを、簡単な操作で且つ様々な態様で実行することができる。
【００８１】
尚、本実施形態では、指の接触および接触した指の横方向，縦方向への動きを検出するグライドポイントの例で説明したが、これに限られるものではなく、本発明にいうグライドポイントは、グライドポイントへの指の接触および接触した指の動きを検出するものであればよい。
【００８２】
また、本実施形態では、ライン型の指紋センサで上の方向や下の方向への指の動きを検出する例で説明したが、これに限られるものではなく、本発明にいう指紋センサは、指の指紋を検出するものであればよい。
【００８３】
さらに、本実施形態では、第１のスクロールモードにあるときの、指紋センサ上での所定速さ以下の速さの指の動きにより第１のスクロールモードによる、表示画面上の画像のスクロールを実行し、指紋センサ上での上記所定速さを越える速さの指の動きにより第２のスクロールモードに切り替え、第２のスクロールモードにあるときの指紋センサ上での指の動きにより第２のスクロールモードを実行するスクロール制御部の例で説明したが、これに限られるものではなく、本発明にいうスクロール制御部は、第１のスクロールモードにあるときの、指紋センサ上での所定速さ以下の速さの指の動きにより第１のスクロールモードによる、表示画面上の画像のスクロールを実行し、指紋センサ上での上記所定速さを越える速さの指の動きにより第２のスクロールモードに切り替えるとともに第２のスクロールモードによる、表示画面上の画像のスクロールを実行するものであってもよい。このようにすることにより、第１のスクロールモードにあるときであっても、指紋センサ上での所定速さを越える速さの指の動きにより第２のスクロールモードに即座に切り替えることができる。従って、操作性をさらに高めることができる。
【００８４】
以下、本発明の各種形態を付記する。
【００８５】
（付記１）  電子機器において、
画像を表示する表示画面と、
指の接触および接触した指の動きを検出するグライドポイントと、
指の指紋を検出する指紋センサと、
前記グライドポイントによる検出情報と前記指紋センサによる検出情報との組合せにより、前記表示画面上の画像のスクロールを制御するスクロール制御部とを備えたことを特徴とする電子機器。
【００８６】
（付記２）  前記スクロール制御部は、前記グライドポイントへの指の接触および該グライドポイント上での指の動きに応じてスクロールモードを切り替えるとともに、前記指紋センサ上の指の動きに応じて前記表示画面上の画像のスクロールを実行するものであることを特徴とする付記１記載の電子機器。
【００８７】
（付記３）  前記スクロール制御部は、
第１のスクロールモードにあるときの、前記指紋センサ上での所定速さ以下の速さの指の動きにより該第１のスクロールモードによる、前記表示画面上の画像のスクロールを実行し、前記指紋センサ上での前記所定速さを越える速さの指の動きにより第２のスクロールモードに切り替え、
前記第２のスクロールモードにあるときの前記指紋センサ上での指の動きにより該第２のスクロールモードを実行し、
前記グライドポイントへの指の接触により前記第１のスクロールモードに切り替えるものであることを特徴とする付記１記載の電子機器。
【００８８】
（付記４）  前記スクロール制御部は、
第１のスクロールモードにあるときの、前記指紋センサ上での所定速さ以下の速さの指の動きにより該第１のスクロールモードによる、前記表示画面上の画像のスクロールを実行し、前記指紋センサ上での前記所定速さを越える速さの指の動きにより第２のスクロールモードに切り替えるとともに該第２のスクロールモードによる、前記表示画面上の画像のスクロールを実行し、
前記グライドポイントへの指の接触により前記第１のスクロールモードに切り替えるものであることを特徴とする付記１記載の電子機器。
【００８９】
（付記５）  前記グライドポイントおよび前記指紋センサが、互いに隣接した位置に配置されたものであることを特徴とする付記１記載の電子機器。
【００９０】
（付記６）  前記指紋センサが、ラインセンサを備え、該ラインセンサ上に指を置いて該指をラインセンサの直交方向に操作することにより指の指紋を検出するライン型指紋センサであることを特徴とする付記１記載の電子機器。
【００９１】
（付記７）  画像を表示する表示画面と、指の接触および接触した指の動きを検出するグライドポイントと、指の指紋を検出する指紋センサとを備えた電子機器に適用されるスクロール制御装置において、
前記グライドポイントによる検出情報と前記指紋センサによる検出情報との組合せにより、前記表示画面上の画像のスクロールを制御するスクロール制御部とを備えたことを特徴とするスクロール制御装置。
【００９２】
（付記８）  画像を表示する表示画面と、指の接触および接触した指の動きを検出するグライドポイントと、指の指紋を検出する指紋センサとを備えた電子機器で実行されるプログラムにおいて、該プログラムは該電子機器を、
前記グライドポイントによる検出情報と前記指紋センサによる検出情報との組合せにより、前記表示画面上の画像のスクロールを制御するスクロール制御部として機能させることを特徴とするプログラム。
【図面の簡単な説明】
【００９３】
【図１】本発明の電子機器の一実施形態であるノートＰＣの外観斜視図である。
【図２】図１に示すノートＰＣの概略回路ブロックを示す図である。
【図３】本実施形態のノートＰＣの、グライドポイント上での指の動きと指紋センサ上での指の動きとを説明するための図である。
【図４】図３に示すグライドポイント上での指の検出と指紋センサ上の指の検出との組合せにより表示画面上の画像のスクロールを制御する様子を説明するための図である。
【図５】本実施形態のノートＰＣの、表示画面上の画像のスクロールを制御するための制御ルーチンの前半部分のフローチャートである。
【図６】本実施形態のノートＰＣの、表示画面上の画像のスクロールを制御するための制御ルーチンの中間部分のフローチャートである。
【図７】本実施形態のノートＰＣの、表示画面上の画像のスクロールを制御するための制御ルーチンの後半部分のフローチャートである。
【図８】比較例としてのノートＰＣの、指紋センサ上で下の方向に指を移動させる様子を示す図である。
【図９】図６に示す指紋センサ上で下の方向に指を移動させることで表示画面上の画像のスクロールを制御する様子を説明するための図である。
【符号の説明】
【００９４】
１０  ノートＰＣ
２０  本体ユニット
２１  キーボード
２２  グライドポイント
２３  左クリック釦
２４  右クリック釦
２５  指紋センサ
２６  スピーカ
３０  表示ユニット
３１  表示画面
３１＿１  画像
３１ａ，３１ｂ  スクロールバー
３２  穴
４０  ヒンジ部
４１  ＣＰＵ
４２  主メモリ
４３  ハードディスク装置
４４  フレキシブルディスクドライブ
４４＿１  フレキシブルディスク
４５  ＣＤ／ＤＶＤドライブ
４５＿１  ＣＤ／ＤＶＤ
４６  ＵＳＢ通信装置
４７  スクロール制御部
４８  バス
２４１  ＣＤ／ＤＶＤドライブの端面
２４２  イジェクトボタン
２５１  メディアスロットの挿入口
【図１】
0004669423.tif 000002
【図２】
0004669423.tif 000003
【図３】
0004669423.tif 000004
【図４】
0004669423.tif 000005
【図５】
0004669423.tif 000006
【図６】
0004669423.tif 000007
【図７】
0004669423.tif 000008
【図８】
0004669423.tif 000009
【図９】
0004669423.tif 000010